(57)【要約】      （修正有）【解決手段】キッチン／リビングルームには、入口付近にスイッチ４が設けられており、入／退出時にＯＮ／ＯＦＦする。従って灯具自体のロータリースイッチの必要性は少なく、これを廃止した。そのため失われる調光機能は、大小丸形蛍光管の一方を常用灯、他方を加勢灯とし、加勢灯の点灯管回路に時限スイッチ９を設け、これを押圧しない限り、２灯点灯は出来ない構成とした。又入力制限用白熱灯の光も全利用した。「チラツキ」防止対策もした。【効果】無駄な電力の削減、入力制限灯の活用と演色効果、徹底的単純化と軽量化。【選択図】図１
0003137817.tif 000002
【実用新案登録請求の範囲】
【請求項１】
自身の接続ピン（１１）の１から交流電圧の印加を受ける環（６）１及び輪環（７）２を有する、ＦＣＬ３０型蛍光管及びＦＣＬ３２型蛍光管各１を天板兼反射板（１３）の下面に内外に並置し、その中心にはいずれか一方の蛍光管の入力制限用白熱灯を下向きに設け、他方の入力制限用白熱灯、各蛍光管用点灯管は適宜配置した上、これら２系統の点灯回路を電気的に並列にして構成した軽量蛍光灯具。
【請求項２】
「請求項１」の灯具に於いて、いずれか一方の蛍光管が、その点灯管回路（１７）の中途に、必要な時間だけＯＮとなる時限スイッチ（９）を有する灯具。
【請求項３】
「請求項１」の灯具に於いて、ＦＣＬ３２蛍光管の管外周に適宜、小型軽量のフェーライト磁石（１２）を着脱自在に取り付けた灯具、又は蛍光管。
【考案の詳細な説明】
【考案の詳細な説明】
【技術分野】
【０００１】  民生用照明灯
【背景技術】
【０００２】  「実願２００７−３７２５」；「点灯促進用の環を有する蛍光管」は、原則として、人力制限灯を直列にし、所定の点灯管を並列にするだけで、点灯可能となるが、３２Ｗ．型蛍光管以上は例外であった。（先願の５月１５日付ＫＥＩ−７参照）
この種、入力制限用に白熱灯を用いる「ハイブリッド軽量蛍光灯」は、力率１で、外部の電圧変動の影響を受け易く、時として、「チラツキ」が長く続くことがある。
リビングルームやキッチンの照明灯として、多用されて来た、ＦＣＬ３０型蛍光管とＦＣＬ３２型蛍光管を組合せた吊下げ灯（ペンダント灯）には、室入口付近に元スイッチ（ＳＷ１）と、灯具自体に、４点ロータリースイッチ（ＳＷ２）が設けられているのが一般的であるが、最初入室時には元スイッチ（ＳＷ１）のみで即点灯する必要があるから、灯具のロータリースイッチは「消灯」位置に置かれることはなく、大抵「２灯」位置に置かれたままなので、一寸とした時にもＳＷ１で２灯共点灯されるから、無駄となる消費電力は軽視出来ない。
【考案が解決しようとする課題】
【０００３】１）．ＦＣＬ３２型蛍光管も、ＦＣＬ３０型と同様に交流１００Ｖ．の近接導体効果で点灯させる。
２）．交流１００Ｖ．で用いるＦＣＬ３２型蛍光管に特に必要となる「チラツキ」防止対策。
３）．無駄な点灯を必然的に排除出来る様な方策。
【課題を解決するための手段】
【０００４】  先入観不可能を捨て、「実願２００７−３７２５」のＦＣＬ３２型蛍光管に再挑戦した。
「チラツキ」は共振現象で磁気力で制動出来、点灯性を害さない程度に小さくする。
実用上不用品であるロータリースイッチ（ＳＷ２）は廃止したので、元スイッチ（ＳＷ１）を「ＯＮ」にすると２本の蛍光管に電圧がかかるが、一方のＦＣＬ３０蛍光管が先行して瞬時に点灯し、片方のＦＣＬ３２はその点灯管回路（１７）に挿入したスプリングバック式の時限スイッチ（９）を必要時間だけ押圧するという１動作を追加しない限り点灯しない構成とした。
【考案を実施するための最良の形態】
【０００５】  一切の作業が終了し、部屋を退去する時には、当然元スイッチ（ＳＷ１）が「ＯＦＦ」にされるから、ＦＣＬ３０の方もＦＣＬ３２の方も同時に消灯して、最初の状態に戻る。ここで、例えば、何か簡単な忘れ物を思い出し、戻って来てＳＷ１で再点灯したとすると、一方のＦＣＬ３０のみが瞬時に点灯するから忘れた用事を清ませ、元スイッチ（ＳＷ１）を切って退出する。此の間片方のＦＣＬ３２は点灯せず、本案の目的が必然的に達成される。
ＦＣＬ３２蛍光管には、模型用１Ｗ．ＤＣモーターのフェライト磁石１個を簡単に貼り付けた。
【実施例】
【０００６】  銘板；「ハイブリッド軽量蛍光灯」
仕様：蛍光管；ＦＣＬ３０，ＦＣＬ３２各１、点灯管；ＦＧ１Ｅ，ＦＧ５Ｐ各１；フェライト磁石（１２ｇｒ）
入力制限用白熱灯；１００Ｖ．９０Ｗ．（ＦＣＬ３０用）、１００Ｖ．９５Ｗ．（ＦＣＬ３２用）
性能：
ＦＣＬ３０側入力；５３Ｗ．（１００Ｖ．，０．５３Ａ．）、出力；４０．５Ｗ．（蛍光管２９Ｗ．＋電球１１．５Ｗ．）
ＦＣＬ３２側入力；３８Ｗ，（１００Ｖ．，０．３８Ａ．）、出力；３３Ｗ．（蛍光管２９Ｗ．＋電球４Ｗ．）
総入力；９１Ｗ．、出力；７３．５Ｗ．：照度（１ｍ）；３７５Ｌｘ，２００Ｌｘ（１灯）：総重量１１００ｇｒ
【考案の効果】
【０００７】  ハイブリッド軽量蛍光灯は、無効電流が無い分、定常放電電圧が、少し高くなり、現行の点灯管との相性が悪いと言う「部品の問題」がある。又、電源電圧の変動、特に電圧低下に対する許容幅が狭いと言う宿命的な「特性の問題」もある。
実施例のＦＣＬ３０側では定格よりも少し余分に電流を流し、点灯管の遮断電圧以下に定常電圧を下げている。又、ＦＣＬ３２側では、従来１５０Ｖ．で用いる規格であるから、本案の１００Ｖ．での点灯では、逆に点灯管（ＦＧ５Ｐ）の作動電圧が高すぎる。
「部品の問題」は、ハイブリッド軽量蛍光灯専用の点灯管が開発されれば殆ど解決出来ると思う。実施例では、古いＦＣＬ３２用の旧式点灯管が、たまたま本案の点灯管特性に慨ね一致し、不利な条件下、本案の目的が略達成出来ることを確認した。
「特性の問題」は、現行定格電圧１００Ｖ．では、ＦＣＬ３２蛍光管を本案の「点灯促進用の環を有する蛍光管」を用い、交流の近接導体効果だけで点灯させる場合には、電源電圧低下時の余裕が少ないので、せめて１０３Ｖ．に出来れば、「ハイブリッド軽量蛍光灯」は極めてシンプル軽量で、低電圧系照明システムとして定着し得ると思う。
ＦＣＬ３２蛍光管に付けた微小磁石の効果はてきめん「チラツキ」はピタリと止まった。
ＦＣＬ３０蛍光管の入力制限用白熱灯の光を全利用したので、色彩の迫力が増した。
防災上の鉄則「頭上に有る物は出来るだけ軽く」を最大限実現した。
先願（５月１５日付ＫＥＩ−７）の、ユニット（１０）を設ける１３０Ｖ．直流蓄電圧による近接導体効果より生の交流による近接導体の方が、点灯性の「バラツキ」が少ない様である。
【図面の簡単な説明】
【０００８】
【図１】  （ａ）「ハイブリッド軽量ペンダント灯」の下面から見た外観図である。（ｂ）同電気回路図である。
【符号の説明】
【０００９】  ▲１▼蛍光管  ▲２▼白熱灯  ▲３▼点灯管  ▲４▼スイッチ  ▲５▼引掛プラクグ  ▲６▼環  ▲７▼輪環  ▲８▼４穴ソケット（丸形蛍光管用）  ▲９▼時限スイッチ  ▲１１▼接続ピン  ▲１２▼フェライト磁石  ▲１３▼天板兼反射板（１ｔＡＬＰ）  ▲１５▼吊下げコード  ▲１６▼被覆線（２芯）  ▲１７▼リード線（単芯）  ▲１８▼蛍光管保持金物  ▲２０▼傘（シェード）
【図１】
0003137817.tif 000003
【手続補正書】
【提出日】平成19年6月21日(2007.6.21)
【手続補正１】
【補正対象書類名】明細書
【補正対象項目名】０００４
【補正方法】変更
【補正の内容】
【０００４】
【課題を解決するための手段】
適合点灯管の調達、一時代前のリサイクル灯具付き「ＦＧ５Ｐ／２８．３０型」が良いと判明。
「チラツキ」は共振現象、磁力で制動出来る。点灯性を害さない程度に微小にする。
実用上不用品であるロータリースイッチ（ＳＷ２）は廃止したので、元スイッチ（ＳＷ１）を「ＯＮ」にすると２本の蛍光管に電圧がかかるが、一方のＦＣＬ３０蛍光管が先行して瞬時に点灯し、片方のＦＣＬ３２はその点灯管回路（１７）に挿入したスプリングバック式時限スイッチ（９）を必要時間だけ押圧するという１動作を追加しない限り点灯しない構成とした。
【手続補正２】
【補正対象書類名】図面
【補正対象項目名】全図
【補正方法】変更
【補正の内容】
【図１】
0003137817.tif 000004
【手続補正書】
【提出日】平成19年6月23日(2007.6.23)
【手続補正１】
【補正対象書類名】明細書
【補正対象項目名】０００４
【補正方法】変更
【補正の内容】
【０００４】
【課題を解決するための手段】
３２型蛍光管用点灯管として、旧式灯具付の「ＦＧ５Ｐ／２８．３２」型中古管を援用した。
「チラツキ」は共振現象であり、点灯性を害さない程度の微小な磁力で制動出来た。
実用上不用品であるロータリースイッチ（ＳＷ２）は廃止したので、元スイッチ（ＳＷ１）を「ＯＮ」にすると２本の蛍光管に電圧がかかるが、一方のＦＣＬ３０蛍光管が先行して瞬時に点灯し、片方のＦＣＬ３２はその点灯管回路（１７）に挿入したスプリングバック式時限スイッチ（９）を必要時間だけ押圧するという１動作を追加しない限り点灯しない構成とした。
【手続補正２】
【補正対象書類名】明細書
【補正対象項目名】０００５
【補正方法】変更
【補正の内容】
【０００５】
【考案実施の形態】
部屋退去時、元スイッチ（ＳＷ１）が「ＯＦＦ」にされると、全灯消灯する。ここで忘れ物を思い出し、戻って、再点灯すると、一方のＦＣＬ３０のみ瞬時に点灯するから用事を済ませ、元スイッチを切って再び退出する。此の間、ＦＣＬ３２が必然的に節電される。
ＦＣＬ３２蛍光管には、玩具用１Ｗ．モーターのフェライト磁石１個を着脱自在に貼り付けた。
本案は「実願２００７−３７２５点灯促進用の環を有する蛍光管」を用いるから、「特開２００６−１７３０７６の倍電圧発生回路」や「実願２００７−４３９３の蓄電ユニット」は不要である。
【手続補正書】
【提出日】平成19年6月25日(2007.6.25)
【手続補正１】
【補正対象書類名】明細書
【補正対象項目名】０００７
【補正方法】変更
【補正の内容】
【０００７】
【考案の効果】
ハイブリッド軽量蛍光灯は、無効電流が無い分、定常放電電圧が、少し高くなり、現行の点灯管との相性が悪いと言う「部品の問題」がある。又、電源電圧の変動、特に電圧低下に対する許容幅が狭いと言う宿命的な「特性の問題」もある。
実施例のＦＣＬ３０側では定格よりも少し余分に電流を流し、点灯管の遮断電圧以下に定常電圧を下げている。又、ＦＣＬ３２側では、従来１５０Ｖ．で用いる規格であるから、本案の１００Ｖ．での点灯では、逆に点灯管（ＦＧ５Ｐ）の作動電圧が高すぎる。
「部品の問題」は、ハイブリッド軽量蛍光灯専用の点灯管が開発されれば殆ど解決出来ると思う。実施例では、古いＦＣＬ３２用の旧式点灯管が、たまたま本案の点灯管特性に慨ね一致し、不利な条件下、本案の目的が略達成出来ることを確認した。
「特性の問題」は、現行定格電圧１００Ｖ．では、電源電圧低下時の余裕が少ないので、せめて１０３Ｖ．に出来れば、「ハイブリッド軽量蛍光灯」は極めてシンプル軽量で、低電圧系照明システムとして定着し得ると思う。
ＦＣＬ３２蛍光管に付けた微小磁石の効果はてきめん「チラツキ」はピタリと止まった。
ＦＣＬ３０蛍光管の入力制限用白熱灯の光を全利用したので、色彩の迫力が増した。
防災上の鉄則「頭上に有る物は出来るだけ軽く」を最大限実現した。
２灯の蛍光管の、いずれを常用灯とし、いずれを加勢灯としても、機能的には全く問題無いが、デザイン上は外側のＦＣＬ３２蛍光管を常用灯にした方が、天井を照すその入力制限灯と共に室内空間に豊かな雰囲気を醸す上、加勢灯（ＦＣＬ３０）の時限スイッチ（９）の押し方一つで、その点灯だけでなく消灯も出来、極めて便利である。
【手続補正書】
【提出日】平成19年6月26日(2007.6.26)
【手続補正１】
【補正対象書類名】明細書
【補正対象項目名】０００７
【補正方法】変更
【補正の内容】
【０００７】
【考案の効果】
ハイブリッド軽量蛍光灯は、無効電流が無い分、定常放電電圧が、少し高くなり、現行の点灯管との相性が悪いと言う「部品の問題」がある。又、電源電圧の変動、特に電圧低下に対する許容幅が狭いと言う宿命的な「特性の問題」もある。
実施例のＦＣＬ３０側では定格よりも少し余分に電流を流し、点灯管の遮断電圧以下に定常電圧を下げている。又、ＦＣＬ３２側では、従来１５０Ｖ．で用いる規格であるから、本案の１００Ｖ．での点灯では、逆に点灯管（ＦＧ５Ｐ）の作動電圧が高すぎる。
「部品の問題」は、ハイブリッド軽量蛍光灯専用の点灯管が開発されれば殆ど解決出来ると思う。実施例では、古いＦＣＬ３２用の旧式点灯管が、たまたま本案の点灯管特性に慨ね一致し、不利な条件下、本案の目的が略達成出来ることを確認した。
「特性の問題」は、現行定格電圧１００Ｖ．では、電源電圧低下時の余裕が少ないので、せめて１０５Ｖ．に出来れば、「ハイブリッド軽量蛍光灯」は極めてシンプル軽量で、低電圧系照明システムとして定着し得ると思う。
ＦＣＬ３２蛍光管に付けた微小磁石の効果はてきめん「チラツキ」はピタリと止まった。
ＦＣＬ３０蛍光管の入力制限用白熱灯の光を全利用したので、色彩の迫力が増した。
防災上の鉄則「頭上に有る物は出来るだけ軽く」を最大限実現した。
いずれを常用灯、いずれを加勢灯としても良いが、デザイン上は外側のＦＣＬ３２蛍光管を常用灯にした方が好ましい。但し、目下「部品問題」あり、点灯管特性が不適正であるから、当面、ＦＣＬ３２の「即時点灯性」は１０秒超の（可ノ下）である。
両灯共、消灯後約５分間の冷却期間内の、「再点灯性」は保証出来ない。
【手続補正書】
【提出日】平成19年9月10日(2007.9.10)
【手続補正１】
【補正対象書類名】実用新案登録請求の範囲
【補正対象項目名】全文
【補正方法】変更
【補正の内容】
【実用新案登録請求の範囲】
【請求項１】
自身の接続ピン（１１）の１から交流電圧の印加を受ける環（６）１及び輪環（７）２を有する、ＦＣＬ３０型以上の大きさの異なる蛍光管各１を天板兼反射板（１３）の下面の内外に順に並置し、その中心にはいずれかの蛍光管の入力制限用白熱灯を下向きに設け、他の入力制限用白熱灯、各蛍光管用点灯管は適宜配置した上、これら各々の点灯回路を電気的に並列にして構成した軽量蛍光灯具。
【請求項２】
「請求項１」の灯具に於いて、いずれか一方の蛍光管が、その点灯管回路（１７）の中途に、必要な時間だけＯＮとなる時限スイッチ（９）を有する灯具。
【請求項３】
「請求項１」の灯具に於いて、ＦＣＬ３２蛍光管の管外周に適宜、小型軽量のフェーライト磁石（１２）を着脱自在に取り付けた灯具。
【手続補正２】
【補正対象書類名】明細書
【補正対象項目名】０００３
【補正方法】変更
【補正の内容】
【０００３】１）．３２Ｗ．型以上の蛍光管も３０Ｗ．型同様に交流１００Ｖ．の近接導体効果で点灯させる。
２）．交流１００Ｖ．で用いるＦＣＬ３２型蛍光管に特に必要となる「チラツキ」防止対策。
３）．無駄な点灯を必然的に排除出来る様な方策。